(57)【要約】【課題】  確実強固なロック機構を有する粉末洗剤等の紙容器を提供すること。【解決手段】  上面に開口を備える箱体と、前記開口を覆う蓋を箱体の背面側にヒンジ結合してなる紙容器であって、前記蓋の正面板に基端部を介してつまみ片を突出させて形成し、前記つまみ片の基端部周辺に切り込み線により円弧状端部を有する係合片を形設し、前記円弧状端部からつまみ片の端部に渡って略水平に折り罫線を設けるとともに、前記箱体の正面板には、閉蓋状態で前記係合片を挿入可能な係合挿入部を形成してなる紙容器である。【選択図】  図５
2006160286.tif 000002
【特許請求の範囲】
【請求項１】
上面に開口を備える箱体と、前記開口を覆う蓋を箱体の背面側にヒンジ結合してなる紙容器であって、前記蓋の正面板に基端部を介してつまみ片を突出させて形成し、前記つまみ片の基端部周辺に切り込み線により円弧状端部を有する係合片を形設し、前記円弧状端部からつまみ片の端部に渡って略水平に折り罫線を設けるとともに、前記箱体の正面板には、閉蓋状態で前記係合片を挿入可能な係合挿入部を形成してなる紙容器。
【請求項２】
前記つまみ片に上向きに凸状の切り込み線を設け、該凸状の切り込み線の端部を下方から上方に向かって曲線状に延在させて、前記円弧状端部を有する係合片を形設する請求項１に記載の紙容器。
【請求項３】
前記円弧状端部の最下端部が、つまみ片に形成される折り罫線より低い位置になるように円弧状端部を形成してなる請求項１又は２に記載の紙容器。
【請求項４】
紙蓋に把持部を設けてなる請求項１〜３のいずれかに記載の紙容器。
【発明の詳細な説明】
【技術分野】
【０００１】
本発明は紙容器に関し、詳しくは粉末洗剤等の粉体を収納するための紙容器であって、確実強固なロック機構を有する紙容器に関する。
【背景技術】
【０００２】
従来、紙箱体に吊り手を備えた粉末洗剤用等の紙容器が知られている（例えば、特許文献１参照）。この容器は、箱体とは別加工の合成樹脂製の吊り手を、箱体の開口部まわりの一側とその反対側で、リベットにより胴板と補強板とに取着して用いている。
この紙容器は吊り手があるために持ち運び等に便利であるが、展開原紙を折り畳み、箱体を組立てた後、箱体と別体の合成樹脂製吊り手を箱体にリベット止めする必要があり、容器の加工包装工程における生産性が悪いという問題点、及び箱体の本体に取り付けられているため大箱への収納時、取出し時等に、この吊り手が引っ掛かる等、取扱い性が悪いという問題点がある。さらに、吊り手が合成樹脂製であるから、使用済み容器の廃棄の際に分別廃棄が必要になり煩わしい等の問題点がある。
【０００３】
上記問題点を解決する手段として、把持部を蓋に設けることも考えられるが、蓋に設けた場合には、１〜２ｋｇある粉末洗剤等の内容物の重量によって、箱体と蓋の係止部がちぎれるおそれがあった。また、単に把持部をなくすことも考えられるが、この場合にも蓋をつかんで持ち上げられると、箱体と蓋の係止部がちぎれるおそれがあった。
【０００４】
一方、紙蓋と紙箱体のロック機構については、種々の提案がなされている。例えば、箱体の正面板の外面に係合端を設け、蓋の前板に折り曲げ部を介して係合片を突出させ、蓋を箱体に被せるにあたり該係合片を蓋の内側に向けて折り曲げて該係合片と係合端とを係合させる紙容器（特許文献２参照）が知られている。
しかしながら、特許文献２の紙容器は、紙蓋と容器本体の係合力が不十分であり、また蓋に把持部を備えていない構造であるため、紙容器の持ち運び時に誤って落としてしまうおそれがあった。
また、蓋の前板の下縁中央部のつまみ片に係合片を切り込むとともに、該係合片の左右の下端部と前記つまみ片の左右の上端部との間に水平な折り罫線を刻設し、つまみ片と係合片の全体を回動自在とし、箱体の正面板には、蓋の係合片と相対する位置に、係合片を挿入可能な大きさの係合穴を形成し、コハゼ掛けに挿入してロックする紙容器（特許文献３参照）も提案されている。
しかしながら、特許文献３の紙容器は、切り込まれた係合片の端部が折り罫線と連接しているため、蓋を把持すると容器重量によって蓋と箱体の係合片が切り込み端部から裂け、ロック機構が破損する恐れがあった。
【０００５】
【特許文献１】実開昭６３−９７６１８号公報
【特許文献２】特開２００２−３４７７５７号公報
【特許文献３】特許第３５０２６３１号明細書
【発明の開示】
【発明が解決しようとする課題】
【０００６】
本発明は、蓋と箱体の確実強固なロック機構を有し、蓋をつかんで持ち上げたり、蓋に把持部を設けても、係合片が裂けることがない紙容器を提供することを課題とする。
【課題を解決するための手段】
【０００７】
本発明は、上面に開口を備える箱体と、前記開口を覆う蓋を箱体の背面側にヒンジ結合してなる紙容器であって、前記蓋の正面板に基端部を介してつまみ片を突出させて形成し、前記つまみ片の基端部周辺に切り込み線により円弧状端部を有する係合片を形設し、前記円弧状端部からつまみ片の端部に渡って略水平に折り罫線を設けるとともに、前記箱体の正面板には、閉蓋状態で前記係合片を挿入可能な係合挿入部を形成してなる紙容器を提供する。
【発明の効果】
【０００８】
本発明の紙容器は、蓋に円弧状端部を有する係合片を形成しているので、蓋と箱体のロック機が確実強固であり、蓋をつかんで持ち上げたり、蓋に把持部を設けても、係合片が容器重量によって裂けることがない。
【発明を実施するための最良の形態】
【０００９】
本発明の紙容器は、上面に開口を備える箱体と、前記開口を覆う蓋を箱体の背面側にヒンジ結合してなる紙容器であって、前記蓋の正面板につまみ片を突出させて形成し、該つまみ片の基端部周辺に切り込み線により円弧状端部を有する係合片を設けたものである。
【００１０】
本発明の紙容器の実施の形態について、図面を参照して説明する。図１〜図６は、本発明の紙容器の実施の形態の一例を示す図であり、図７〜８は、本発明の紙容器の別形態を示す図である。
本発明の紙容器１０は、図１〜３及び図７〜８に示すように、箱体１１と蓋１２とからなり、箱体１１は上面に開口１１Ｅを有している。その開口１１Ｅは封緘紙１３により、正面板１１Ａ、背面板１１Ｂ、両側板１１Ｃからなる全開口縁部の外側面又は蓋１２の天板１２Ｄの内面に一定巾を持って貼着、密封され、流通・保管段階において内容物である粉体洗剤等の漏れ防止を可能とする。
なお、紙容器には通常５００ｇ〜２．５ｋｇ、好ましくは１〜２ｋｇ程度の粉体洗剤等を収納する。
【００１１】
箱体１１は、対環境性、廃棄時の焼却性の観点から、紙単体、又は紙を主材料としプラスチックフィルムをラミネートした積層素材を折り曲げて組立てたものである。使用する紙は、特に制限はないが、取扱いの便宜上、坪量３５０〜７００ｇ／ｍ2、厚さ０．３〜１．１ｍｍであることが好ましい。
箱体１１は、上記素材を折り曲げて組立てたものであり、正面板１１Ａ、背面板１１Ｂ、両側板１１Ｃ、底板１１Ｄを有し、上面に開口１１Ｅを有する。図１の形態の場合、箱体１１は、正面板１１Ａ、背面板１１Ｂ、両側板１１Ｃを上端辺で内側に折り返し接着してある。
【００１２】
蓋１２の材質は、箱体１１と同様に、紙単体、又は紙を主材料としプラスチックフィルムをラミネートした積層素材であることが好ましい。
蓋１２は、上記素材を折り曲げて組立てたものであり、前板１２Ａ、後板１２Ｂ、両側板１２Ｃ、天板１２Ｄを有する。蓋１２は、箱体１１の背面板１１Ｂに接着されるヒンジ結合部１２Ｅを後板１２Ｂに備え、箱体１１の開口１１Ｅを覆う。
図７〜８に示すように、蓋１２は、箱体１１の背面板１１Ｂを延長し、背面板１１Ｂの上端辺にヒンジ罫線を設け、内側に折り返して形成することもできる。この形態の場合、箱体１１は、正面板１１Ａ及び両側板１１Ｃを上端辺で内側に折り返し接着してある。
蓋１２には、吊り手、把手（取っ手）等の把持部を設けることが好ましい。図３〜５及び８において、蓋１２には吊り手１４が付設されている。取扱いの便宜上、吊り手１４は蓋１２の上面に付設されることが好ましいが、蓋の両側板１２Ｃに付設してもよく、また、蓋を形成する台紙と一体的に形成するものであってもよい。
【００１３】
蓋１２の正面板には基端部を介してつまみ片２２を突出させて形成する。未使用状態においては、蓋１２は、つまみ片２２の裏面のタックシール、又は接着剤等によって箱体１１の糊付け部２３に貼着固定されており、初回使用時に糊付け部２３を剥がすことにより、蓋１２と箱体１１をつなぐヒンジ結合部１２Ｅを回動支点として開閉できるようになっている。
箱体１１の正面板１１Ａには、閉蓋時につまみ片２２に形成された係合片１９（図５、６）と相対する位置に、係合片１９を挿入可能な大きさの係合穴又はスリット３１（以下、係合挿入部３１と総称する）が形成されている。係合挿入部３１は、箱体１１の正面板１１Ａを上端片で内側に折り返し接着された内折り板で裏打ちされており、係合挿入部３１の背面には係合片１９を差し込むことのできる隙間が設けられている。つまみ片２２に形成された係合片１９が、その隙間に差し込まれて係合挿入部３１の係合端３１Ａに係合し、蓋１２が箱体１１にロックされる。
なお、係合端３１Ａは、係合挿入部３１によらず、正面板１１Ａの上端辺で外側に折り返し、この外側折り返し片の先端により係合端３１Ａを形成することもできる。
【００１４】
図４は紙容器の蓋の一例を示す平面図である。図４において、蓋１２の上面には吊り手１４が付設されている。吊り手１４は略円板状の吊り手本体からなる。略円板状の吊り手本体の中心部には所定の大きさを有する半円状の切り込み線１５を２つ入れ、切り込み線１５の端部から吊り手本体の外周縁に向けて折り罫線１６を刻設し、２つの半円状の切り込み線１５と４つの折り罫線１６とで囲まれる部分を貼着固定部１７としている。吊り手１４は、接着剤等によって貼着固定部１７が蓋１２の上面に強固に貼着固定されており、貼着固定部１７の周縁部分を吊り手１４として起伏させるように形成されている。
吊り手１４の材質は、特に制限はないが、箱体１１、蓋１２と同様に、紙単体、又は紙を主材料としプラスチックフィルムをラミネートした積層素材であることが好ましい。
【００１５】
図５は紙容器の閉蓋状態を示す正面図であり、図６は、図５のＡ部の拡大模式図である。
蓋１２には、正面板（前板１２Ａ）の基端部（略中央部下縁）を介してつまみ片２２を突出させて形成する。つまみ片２２の基端部周辺（略中央部）には切り込み線により円弧状端部を有する係合片を形設する。より具体的には、つまみ片２２の基端部周辺に上向きに凸状の切り込み線を設け、該凸状の切り込み線の端部を下方から上方に向って曲線状に延在させて、円弧状端部１８（Ｕ字状の切り込み）を有する係合片１９を形設する。円弧状端部１８からつまみ片２２の端部に渡っては、略水平に２つの折り罫線２０を刻設する。係合片１９の円弧状の両端部１８は、折り罫線２０を支点としてつまみ片２２を回動する時の回動補助支点となり、回動の円滑性を確保する。
なお、蓋１２の前板１２Ａの下側端縁は水平に形成してもよいが、複数の紙容器１０を大箱に詰めて収納する場合の作業性の観点から、中央部から両端部にかけてやや上向きに傾斜させることが好ましい。
【００１６】
つまみ片２２、係合片１９等の大きさに特に制限はなく、紙等の素材の厚さ、ロック・解除等の操作の円滑性、及び係合強度の観点から、適宜設定することができる。例えば、１〜２ｋｇ程度ある粉末洗剤等の紙容器（縦約９ｃｍ、横約１５ｃｍ、高さ約８〜１３ｃｍ程度）の場合、図６において、次のように寸法を設定することが好ましい。
つまみ片２２の幅ａ：好ましくは４５〜６５ｍｍ、更に好ましくは５０〜６０ｍｍ。
係合片１９の幅ｂ：好ましくは１５〜３５ｍｍ、更に好ましくは２０〜３０ｍｍ。
折り罫線２０の幅ｃ：好ましくは７〜１３ｍｍ、更に好ましくは８〜１２ｍｍ。
円弧状端部１８の幅ｄ：好ましくは２〜８ｍｍ、更に好ましくは３〜７ｍｍ。
円弧状端部１８の高さｅ：好ましくは１〜５ｍｍ、更に好ましくは２〜４ｍｍ。
つまみ片２２の高さｆ：好ましくは１０〜２０ｍｍ、更に好ましくは１２〜１７ｍｍ。
係合片１９の高さｇ：好ましくは３〜１０ｍｍ、更に好ましくは４〜９ｍｍ。
【００１７】
２つの折り罫線２０は、円弧状端部１８から略水平に刻設するが、回動操作の円滑性の観点から、円弧状端部１８の最下端部からではなく、最下端部より上方から略水平に刻設することが好ましい。換言すれば、円弧状端部１８の最下端部を、つまみ片２２の両端部に略水平に形成される折り罫線より０．５〜３ｍｍ、特に１〜２ｍｍ低い位置に設定するように円弧状端部１８を形成し、円弧状端部１８の側部近傍に折り罫線２０を連接することが好ましい。
【００１８】
蓋１２の開閉機構は次のとおりである。図５及び６において、つまみ片２２を指でつまみ、上方に向けて持ち上げていくと、つまみ片２２は折り罫線２０を回動中心として上方へ向かって回動する。つまみ片２２が上方へ回動すると、つまみ片２２と一体に形成されている係合片１９は折り罫線２０を回動中心として下方に向かって回動し、その先端部が箱体１１の係合挿入部３１の係合端３１Ａに係合する。この状態で、つまみ片２２を元に戻すように下側に押すと、係合片１９は逆に上方へ向かって動き、係合片１９の先端は係合挿入部３１の背面の間隙内に押し込まれるようにして挿入、嵌合され、蓋１２が箱体１１に確実にロックされる。
ロックされている蓋１２を開くときは、つまみ片２２を指で持ち、ほぼ水平位置まで上方に向かって持ち上げていくと、係合片１９はそのまま自然に係合挿入部３１から抜け出ていき、蓋１２のロックが解除される。
【００１９】
本発明の紙容器は上記のように構成されているので、以下の作用効果がある。
（１）吊り手１４を持ち上げた場合、係合片１９の円弧状端部１８（Ｕ字状の切り込み）によって容器重量の負荷が分散され、係合片１９が裂けることを防止できる。
（２）折り罫線２０が円弧状端部１８の切り込みの端部に位置しないから、切り込み線の端部から裂けることを防止できる。
（３）つまみ片２２を持ち上げて係合挿入部３１とのロックないし解除を行うときに、円弧状端部１８がつまみ片２２の回動補助支点となり、ロックないし解除を円滑に行うことができる。
（４）蓋１２に吊り手１４（把持部）が強固に固定されており、係合片１９が係合挿入部３１に嵌合して、確実かつ強固にロックされているので、吊り手１４及びロック機構が破損することがなく、大箱への収納時、取出し時等の取扱い性が優れている。
（５）吊り手１４（把持部）が蓋１２に付設されているので、容器の加工包装工程における生産性の低下がない。
【図面の簡単な説明】
【００２０】
【図１】紙容器の開蓋状態を示す斜視図である。
【図２】紙容器の閉蓋状態を示す背面図である。
【図３】紙容器の開封後の開蓋状態を示す側面図である。
【図４】紙容器の蓋の一例を示す平面図である。
【図５】紙容器の閉蓋状態を示す正面図である。
【図６】図５のＡ部の拡大模式図である。
【図７】別形態の紙容器の開蓋状態を示す斜視図である。
【図８】別形態の紙容器の開封後の開蓋状態を示す側面図である。
【符号の説明】
【００２１】
１０ 紙容器    １１ 箱体    １１Ｅ 開口    １２ 蓋    吊り手１４    切り込み線１５    折り罫線１６    貼着固定部１７    円弧状端部１８    係合片１９    折り罫線２０    ２２ つまみ片    ３１ 係合挿入部
【図１】
2006160286.tif 000003
【図２】
2006160286.tif 000004
【図３】
2006160286.tif 000005
【図４】
2006160286.tif 000006
【図５】
2006160286.tif 000007
【図６】
2006160286.tif 000008
【図７】
2006160286.tif 000009
【図８】
2006160286.tif 000010